(57)【要約】【課題】例えばブルートゥース通信システムにおいて各機器で無駄な動作による電力消費を回避する。【解決手段】通信装置（ＢＴアダプタ）は、オーディオ再生装置４において外部機器に電源供給を行うために設けられている電源供給端子の電圧ＶDDを検知することで、オーディオ再生装置４の動作状態（電源状態）を検出し、適切な制御処理を行う。例えばストリーム信号を、ＢＴレシーバ２へ送信するストリーミング処理を行っているときに、電圧ＶDDが所定値より低下した場合は、ストリーミング処理を終了させ、省電力モードとなるようにする。【選択図】図９
2007306286.tif 000002
【特許請求の範囲】
【請求項１】
ストリーム信号を出力する信号出力装置と、無線通信を行う第１，第２の通信装置とから成る通信システムであって、
上記第１の通信装置は、
上記第２の通信装置との間でストリームラインによるストリーム信号の無線通信及び制御ラインによる制御データの無線通信を行う通信処理部と、
上記信号出力装置から出力される上記ストリーム信号を入力する信号入力部と、
上記信号出力装置において外部機器に電源供給を行うために設けられている電源供給端子の電圧を検知する端子電圧検出部と、
上記信号入力部により上記信号出力装置から入力されるストリーム信号を上記ストリームラインの通信により上記他の通信装置に送信させるストリーミング処理を行うとともに、上記端子電圧検出部での検出結果に基づいた動作制御を行う制御部と、
を備えたことを特徴とする通信システム。
【請求項２】
他の通信装置との間で、ストリームラインによるストリーム信号の無線通信及び制御ラインによる制御データの無線通信を行う通信処理部と、
接続された信号出力装置から出力される上記ストリーム信号を入力する信号入力部と、  上記信号出力装置において外部機器に電源供給を行うために設けられている電源供給端子の電圧を検知する端子電圧検出部と、
上記信号入力部により上記信号出力装置から入力されるストリーム信号を上記ストリームラインの通信により上記他の通信装置に送信させるストリーミング処理を行うとともに、上記端子電圧検出部での検出結果に基づいた動作制御を行う制御部と、
を備えたことを特徴とする通信装置。
【請求項３】
上記制御部は、上記端子電圧検出部での検出結果に基づいて、動作状態を通常モードと省電力モードとの間で切り換える制御を行うことを特徴とする請求項２に記載の通信装置。
【請求項４】
上記制御部は、上記ストリーミング処理の実行中に、上記端子電圧検出部で検出される電圧が所定値より低下したら、上記ストリーミング処理を終了する処理を行うことを特徴とする請求項２に記載の通信装置。
【請求項５】
上記ストリーミング処理を終了する際、上記制御部は、上記他の通信装置に対してストリーミング処理終了の通知処理を行うことを特徴とする請求項４に記載の通信装置。
【請求項６】
上記制御部は、動作状態を通常モードとして上記ストリーミング処理を実行している際に、上記端子電圧検出部で検出される電圧が所定値より低下したら、上記ストリーミング処理を終了して動作状態を省電力モードに切り換える処理を行うことを特徴とする請求項２に記載の通信装置。
【請求項７】
上記制御部は、上記端子電圧検出部で検出される電圧が所定値以上となったら、上記ストリーミング処理を開始する処理を行うことを特徴とする請求項２に記載の通信装置。
【請求項８】
上記ストリーミング処理を開始する際には、上記制御部は、上記他の通信装置に対してストリーミング処理開始の通知処理を行うことを特徴とする請求項７に記載の通信装置。
【請求項９】
上記制御部は、動作状態を省電力モードとしている際に、上記端子電圧検出部で検出される電圧が所定値以上となったら、動作状態を通常モードとして上記ストリーミング処理を開始する処理を行うことを特徴とする請求項２に記載の通信装置。
【請求項１０】
上記信号出力装置に対してコマンド信号を出力するコマンド出力部を更に備え、
上記制御部は、上記コマンド出力部から上記信号出力装置にコマンド信号を送信させる機会が発生したときに、上記端子電圧検出部で検出される電圧値と、送信させようとするコマンド信号の内容に基づいて、上記コマンド出力部からコマンド信号を送信させるか否かを決定することを特徴とする請求項２に記載の通信装置。
【請求項１１】
他の通信装置との間で、ストリームラインによるストリーム信号の無線通信及び制御ラインによる制御データの無線通信を行う通信処理部と、
接続された信号出力装置から出力される上記ストリーム信号を入力する信号入力部と、  上記信号出力装置において外部機器に電源供給を行うために設けられている電源供給端子の電圧を検知する端子電圧検出部と、
を備える通信装置の動作制御方法として、
動作状態を省電力モードとしている際に、上記端子電圧検出部で検出される電圧が所定値以上となったら、動作状態を通常モードし、上記信号入力部により上記信号出力装置から入力されるストリーム信号を上記ストリームラインの通信により上記他の通信装置に送信させるストリーミング処理を開始し、
上記ストリーミング処理を実行している際に、上記端子電圧検出部で検出される電圧が所定値より低下したら、上記ストリーミング処理を終了して動作状態を省電力モードに切り換えることを特徴とする動作制御方法。
【発明の詳細な説明】
【技術分野】
【０００１】
本発明は、通信システム、通信装置、及び通信装置の動作制御方法に関し、例えばブルートゥース（Bluetooth）通信機器への適用に好適なものである。
【背景技術】
【０００２】
【特許文献１】特開２００５−２６７５８号公報
【０００３】
例えばブルートゥース方式等による近距離無線通信を利用した電子機器システムが開発されている。例えばパーソナルコンピュータやＰＤＡ（Personal Digital Assistant）等の情報処理装置や、携帯電話機などの機器において近距離無線通信ユニットを実装することが行われている。
ブルートゥースは２．４ＧＨｚの周波数帯を用いて、半径約１０〜１００メートル範囲の機器間で無線通信を行うことのできる規格であり、例えばユーザーが所有する各種の機器間での各種のデータ通信に利用されている。
【発明の開示】
【発明が解決しようとする課題】
【０００４】
ブルートゥース通信は、オーディオ信号やビデオ信号等のストリーム信号の通信にも利用できるが、このため例えば携帯用オーディオ再生装置にブルートゥース通信ユニットを接続し、またヘッドホン側にもブルートゥース通信ユニットを設け、携帯用オーディオ再生装置で再生されたオーディオストリーム信号を、ブルートゥース通信によりヘッドホン側に無線伝送し、ヘッドホン側で再生音声を聴取するというシステムも構築可能である。このようなシステムを利用すると、ユーザーは、携帯用オーディオ再生装置とヘッドホンとをコードレスの状態にして音楽再生等を楽しむことができる。
【０００５】
例えばこのようなシステムを実用化しようとする場合、各機器での無駄な動作や無駄な電力消費を解消すること、及びユーザーにとってより快適な使用性を実現することが要求される。そこで本発明では、各機器での無駄な動作、電力消費の回避と使用性の向上を目的とする。
【課題を解決するための手段】
【０００６】
本発明の通信システムは、ストリーム信号を出力する信号出力装置と、無線通信を行う第１，第２の通信装置とから成る通信システムである。
そして上記第１の通信装置は、上記第２の通信装置との間でストリームラインによるストリーム信号の無線通信及び制御ラインによる制御データの無線通信を行う通信処理部と、上記信号出力装置から出力される上記ストリーム信号を入力する信号入力部と、上記信号出力装置において外部機器に電源供給を行うために設けられている電源供給端子の電圧を検知する端子電圧検出部と、上記信号入力部により上記信号出力装置から入力されるストリーム信号を上記ストリームラインの通信により上記他の通信装置に送信させるストリーミング処理を行うとともに、上記端子電圧検出部での検出結果に基づいた動作制御を行う制御部とを備える。
【０００７】
上記第１の通信装置に相当する本発明の通信装置は、他の通信装置との間で、ストリームラインによるストリーム信号の無線通信及び制御ラインによる制御データの無線通信を行う通信処理部と、接続された信号出力装置から出力される上記ストリーム信号を入力する信号入力部と、上記信号出力装置において外部機器に電源供給を行うために設けられている電源供給端子の電圧を検知する端子電圧検出部と、上記信号入力部により上記信号出力装置から入力されるストリーム信号を上記ストリームラインの通信により上記他の通信装置に送信させるストリーミング処理を行うとともに、上記端子電圧検出部での検出結果に基づいた動作制御を行う制御部とを備える。
また上記制御部は、上記端子電圧検出部での検出結果に基づいて、動作状態を通常モードと省電力モードとの間で切り換える制御を行う。
また上記制御部は、上記ストリーミング処理の実行中に、上記端子電圧検出部で検出される電圧が所定値より低下したら、上記ストリーミング処理を終了する処理を行う。また上記ストリーミング処理を終了する際、上記制御部は、上記他の通信装置に対してストリーミング処理終了の通知処理を行う。
また上記制御部は、動作状態を通常モードとして上記ストリーミング処理を実行している際に、上記端子電圧検出部で検出される電圧が所定値より低下したら、上記ストリーミング処理を終了して動作状態を省電力モードに切り換える処理を行う。
また上記制御部は、上記端子電圧検出部で検出される電圧が所定値以上となったら、上記ストリーミング処理を開始する処理を行う。またストリーミング処理を開始する際には、上記制御部は、上記他の通信装置に対してストリーミング処理開始の通知処理を行う。
また上記制御部は、動作状態を省電力モードとしている際に、上記端子電圧検出部で検出される電圧が所定値以上となったら、動作状態を通常モードとして上記ストリーミング処理を開始する処理を行う。
また上記信号出力装置に対してコマンド信号を出力するコマンド出力部を更に備え、上記制御部は、上記コマンド出力部から上記信号出力装置にコマンド信号を送信させる機会が発生したときに、上記端子電圧検出部で検出される電圧値と、送信させようとするコマンド信号の内容に基づいて、上記コマンド出力部からコマンド信号を送信させるか否かを決定する。
【０００８】
本発明の動作制御方法は上記通信装置で実行される動作制御方法であり、動作状態を省電力モードとしている際に、上記端子電圧検出部で検出される電圧が所定値以上となったら、動作状態を通常モードし、上記信号入力部により上記信号出力装置から入力されるストリーム信号を上記ストリームラインの通信により上記他の通信装置に送信させるストリーミング処理を開始する。また上記ストリーミング処理を実行している際に、上記端子電圧検出部で検出される電圧が所定値より低下したら、上記ストリーミング処理を終了して動作状態を省電力モードに切り換える。
【０００９】
このような本発明では、通信装置（第１の通信装置）は端子電圧検出部により、上記信号出力装置において外部機器に電源供給を行うために設けられている電源供給端子の電圧を検知することで、信号出力装置の動作状態（電源状態）を検出し、適切な制御処理を行う。
例えば、信号出力装置からのストリーム信号を、他の通信装置（第２の通信装置）へ送信するストリーミング処理を行っているときに、信号出力装置の電源供給端子の電圧が所定値より低下した場合は、信号出力装置は電源オフ状態となった場合、つまりストリーム信号の供給が無くなる場合であるため、適切な制御処理とはストリーミング処理を終了させたり、省電力モードとなることである。
【００１０】
なお、ストリーム信号とは、オーディオ信号やビデオ信号など、時間的に連続する信号のことをいう。従って、信号出力装置とは、オーディオ信号やビデオ信号を出力する装置となる。
ストリームラインとは、例えばブルートゥース通信におけるＡ２ＤＰ（Advanced Audio Distribution Profile）やＶＤＰ（Video Distribution Profile）のように、ストリーム信号の伝送のためのプロファイルを用いた通信ラインが該当し、また制御ラインとは、これらＡ２ＤＰやＶＤＰ実装時に用いられるＡＶＤＴＰ（Audio / Video Distribution Transport Protocol）のように、制御コマンドを伝送する通信ライン等となる。もちろんこれらは一例である。
【発明の効果】
【００１１】
本発明によれば、通信装置（第１の通信装置）は、端子電圧検出部により、信号出力装置において外部機器に電源供給を行うために設けられている電源供給端子の電圧を検知することで、接続された信号出力装置の動作状態（電源状態）を検出し、適切な制御処理を行う。例えばストリーミング処理の開始／終了、動作状態の通常モードと省電力モードの遷移処理等を行う。これは、信号出力装置がストリーム信号の出力を実行する状態か実行できない状態かに応じてストリーミング処理やモード制御を適切に実行できるということを意味する。これにより通信装置において、無駄な動作による電力消費を解消できる。また、ユーザーは、無駄な電力消費に気を遣う必要はなくなる。
また、ストリーミング処理の開始／終了の際には、それを他の通信装置（第２の通信装置）に通知することで、他の通信装置側でも対応して適切な動作状態をとることができ、快適かつ無駄のないシステム動作が実現される。
【発明を実施するための最良の形態】
【００１２】
以下、本発明の実施の形態として、オーディオ再生装置とヘッドホンの間で、ブルートゥース通信ユニットを利用し、オーディオ再生装置で再生された音楽等を無線接続によりヘッドホン側で聴取できるシステムを例を挙げて説明する。説明は次の順序で行う。
［１．システム構成］
［２．ＢＴアダプタの内部構成］
［３．ＢＴレシーバの内部構成］
［４．オーディオ再生装置の内部構成］
［５．ＢＴアダプタの処理］
［６．ＢＴレシーバの処理］
［７．動作例］
［８．実施の形態の効果］
【００１３】
［１．システム構成］
図１は実施の形態の通信システムを形成する機器として、ブルートゥース通信ユニット１，２、ヘッドホン３、オーディオ再生装置４、携帯電話機５を例示している。
ブルートゥース通信ユニット１，２は相互にブルートゥース通信を行うユニットである。以下では、説明上の区別のため、ブルートゥース通信ユニット１を「ＢＴアダプタ」、ブルートゥース通信ユニット２を「ＢＴレシーバ」と呼ぶこととする。
【００１４】
オーディオ再生装置４は、例えば携帯用の音楽プレーヤであり、ＣＤ（Compact Disc）やミニディスク等のディスクメディアから楽曲等のオーディオストリーム信号を再生する。もちろん着脱可能なメモリカードや、内蔵された固体メモリ（フラッシュメモリ）、或いはＨＤＤ（Hard Disc Drive）を記録メディアとして使用する再生装置であっても良い。
このオーディオ再生装置４は、ユーザーが所持することに好適な小型軽量の装置とされ、例えば表示部６６や、各種の操作キー６７が設けられている。
【００１５】
ＢＴアダプタ１は、このオーディオ再生装置４に接続され、オーディオ再生装置で再生されて出力されるオーディオストリーム信号をＢＴレシーバ２に送信する動作を行う。つまり、ＢＴアダプタ１は、ブルートゥース通信機能を持たないオーディオ再生装置４に対して、オーディオ信号を無線送信するために接続するアダプタ機器である。
【００１６】
ＢＴレシーバ２は、ヘッドホン３に接続される。このＢＴレシーバ２は、ＢＴアダプタ１から送信されてくるオーディオストリーム信号を受信し、ヘッドホン３において音声出力するためのユニットとなる。またＢＴレシーバ２は、ユーザーがオーディオ再生装置４に対する操作を行う際の操作ユニットとしても機能する。
なお本例ではＢＴレシーバ２はヘッドホン３と別体としているが、ＢＴレシーバ２としての通信機能をヘッドホン３に内蔵させることも考えられる。
【００１７】
このようなシステムでは、例えばユーザーは、ＢＴアダプタ１をオーディオ再生装置４に接続し、ＢＴレシーバ２をヘッドホン３に接続する。そしてヘッドホン３を装着することで、オーディオ再生装置４で再生される音楽等を、ブルートゥースによる無線通信によりヘッドホン３側で聞くことができる。
また、ＢＴレシーバ２が携帯電話機５とのブルートゥース通信を行うことで、ユーザーはヘッドホン３を装着した状態で、特に携帯電話機５を手に持たなくても通話を行うことができる。通話のためのマイクロホンはＢＴレシーバ２に設けられている。
即ちユーザーにとっては、オーディオ再生装置４や携帯電話機５を鞄等に入れて所持したり、近辺に置いている状態であれば、ヘッドホン３を装着し、またＢＴレシーバ２により操作を行うことで、音楽再生を楽しんだり、通話を行うことができる。
【００１８】
ＢＴアダプタ１とＢＴレシーバ２では、オーディオストリーム信号の通信のため例えばＡ２ＤＰ及びＡＶＤＴＰを用いる。
ブルートゥース方式では、いわゆるＡＶプロファイルとして、オーディオ／ビデオのストリーム信号を伝送するための各種のプロファイルが規定されているが、その１つとして、Ａ２ＤＰは高品質オーディオデータを伝送するプロファイルとされている。
そして例えばＡ２ＤＰでは、ＳＣＯ（Synchronous Connection-Oriented Link：回線交換型の接続）を使わずに、ＡＣＬ（Asynchronous Connection-Less Link：パケット交換型の接続）上でデータを転送するものであり、ＡＶデータ転送用のプロトコルであるＡＶＤＴＰを用いる。本例の場合、ＢＴアダプタ１とＢＴレシーバ２ではＡ２ＤＰがストリームライン、ＡＶＤＴＰが制御ラインとして実装されていることになる。
一方、ＢＴレシーバ２と携帯電話機５との間ではＳＣＯを用いた音声データ転送が行われる。実装されるプロファイルは、ＨＳＰ（Headset Profile）及びＨＦＰ（Hands Free Profile）となる。
【００１９】
またＢＴアダプタ１とＢＴレシーバ２では、ブルートゥース上でＡＶリモートコントローラ機能を実現するプロファイルであるＡＶＲＣＰ（Audio / Video Remote Control Profile）を用いてコマンド信号を通信できる。
【００２０】
ＢＴアダプタ１の平面図、側面図、上面図を図２（ａ）（ｂ）（ｃ）に示す。ＢＴアダプタ１は図のように上面側にコードが取り付けられており、コードの先端は接続端子部１１とされている。この接続端子部１１はプラグ部１２とコネクタ部１３を有し、図２（ｄ）のように、このコネクタ部１１は、携帯用のオーディオ再生装置４におけるヘッドホン／リモコン端子６３に接続できるようにされている。
なお、ヘッドホン／リモコン端子６３とは、通常、このオーディオ再生装置４に対応する専用のヘッドホン／リモコンの接続端子部（接続端子部１１と同形状の接続端子部）が接続される端子である。公知のとおりヘッドホン／リモコンとは、ヘッドホンのコードの中間に、オーディオ再生装置４に対する操作子を備えたリモートコントローラを設けたものである。即ちＢＴアダプタ１は、専用のヘッドホン／リモコンに代えて、ヘッドホン／リモコン端子６３に接続できる機器とされる。
プラグ部１２は、Ｌ／Ｒ／コモンの端子を有し、オーディオ再生装置４から出力されるＬ／Ｒステレオのアナログオーディオ信号をＢＴアダプタ１に取り込む端子となる。
コネクタ部１３は、例えば４つの端子を有し、それらはオーディオ再生装置４におけるヘッドホン／リモコン端子６３の電源ライン、グランドライン、コマンドライン、データラインに対応する端子とされている。
オーディオ再生装置４におけるヘッドホン／リモコン端子６３では、元々は、これら電源ライン、グランドライン、コマンドライン、データラインの端子は、オーディオ再生装置４にヘッドホン／リモコンが接続されたときに用いられるものである。即ち電源ライン及びグランドラインはヘッドホン／リモコンのリモートコントローラに対する電源供給のため、またコマンドラインはヘッドホン／リモコンのリモートコントローラからのコマンド信号入力のため、またデータラインはヘッドホン／リモコンの表示部での表示データの送信のために用いられる。
本例のＢＴアダプタ１は、ヘッドホン／リモコン端子６３に接続するために、これに対応した接続端子部１１を有するが、例えばデータラインは使用されない。一方、コマンドラインを利用してＢＴアダプタ１からオーディオ再生装置４にコマンド信号を供給できるようにしている。
【００２１】
図２（ｃ）のようにＢＴアダプタ１にはＡＣアダプタ端子２２が設けられている。ＡＣアダプタ端子２２に図示しないＡＣアダプタを接続することで、内部の二次電池に対する充電を行うことができる。また、図２（ａ）のようにレシーバ装着部２５が設けられており、ＡＣアダプタ接続時に、このレシーバ装着部２５にＢＴレシーバ２を装着することで、ＢＴレシーバ２の内部の二次電池に対しても、同時に充電を行うことができる。
また図２（ａ）（ｂ）に示すように、ＢＴアダプタ１には、電源オン／オフ操作を行うための電源ボタン１９や、ＬＥＤ（Light Emitting Diode）を用いた発光部１８が設けられている。
【００２２】
図３（ａ）（ｂ）（ｃ）（ｄ）（ｅ）にＢＴレシーバ２の平面図、左側面図、右側面図、上面図、底面図を示す。
ＢＴレシーバ２には、ジャック部３６が設けられ、このジャック部にヘッドホン３のプラグ（Ｌ／Ｒ／コモンのステレオプラグ）が接続される。
また操作子としてプレイキー４０ａ、停止キー４０ｂ、４方向押圧キー４０ｃ、＋／−キー４０ｄ、電源キー４０ｅ、ホールドキー４０ｆ等が設けられている。
また例えば上面側に半リング状の発光窓が形成され、その内部にＬＥＤが配置された発光部３７が設けられる。
またＢＴレシーバ２の底面側にはマイクロホン孔３８ａが形成される。このマイクロホン孔の奥には内蔵マイクロホン（後述する図５のマイクロホン３８）が配置される。
【００２３】
［２．ＢＴアダプタの内部構成］
図４にＢＴアダプタ１の内部構成例を示す。
コントローラ１０は、ＣＰＵ（Central Processing Unit）、ＲＯＭ（Read Only Memory）、ＲＡＭ（Random Access Memory）、インターフェース部を有するマイクロコンピュータチップにより形成され、ＢＴアダプタ１の制御部として機能する。コントローラ１０は、ブルートゥース通信処理、電源制御、発光制御、及びオーディオ再生装置４に対するコマンド出力制御等を行う。
通信部１６は、アンテナ１７を介して他の機器とブルートゥース方式の無線通信を行うためのベースバンド処理、ＲＦ処理を行う。コントローラ１０は、ＡＶＤＴＰ及びＡ２ＤＰを用いた通信処理を行い、通信部１６を介して他の機器、例えばＢＴレシーバ２との間でストリームデータや制御データの通信を実現することになる。
【００２４】
上述したように接続端子部１１におけるプラグ部１２は、Ｌ／Ｒ／コモン端子が設けられており、このプラグ部１２により、オーディオ再生装置４で再生されたアナログオーディオ信号がＢＴアダプタ１に入力される。入力されたアナログオーディオ信号はＡ／Ｄ変換器１４でデジタルオーディオ信号に変換され、コントローラ１０に入力される。コントローラ１０は入力されたデジタルオーディオ信号に対してＡ２ＤＰに基づいて送信用のパケットエンコード処理を行い、通信部１６及びアンテナ１７を介して、他の機器（ＢＴレシーバ２等）にオーディオストリーム信号を送信することができる。
また、ストリームラインの通信を実行している場合も、ストリームラインが閉じられている場合も、コントローラ１０は制御ライン（ＡＶＤＴＰ）による制御データの通信を、ＢＴレシーバ２等の他の機器との間で実行できる。
【００２５】
発光部１８は、ＬＥＤによる発光動作を行う。コントローラ１０は、ＬＥＤに対する発光駆動信号としてパルス信号を与える。コントローラ１０は、該パルス信号の周波数やパルスデューティを変化させることで、発光部１８において様々な態様の発光動作を実行させることができる。
本例では発光動作態様としては、例えばストリーミング表示用の発光動作や、接続機器数提示表示としての発光動作が行われるようにする。
ストリーミング表示用の発光動作とは、ストリームライン（Ａ２ＤＰ）によるオーディオストリーム信号の送信を行っている期間の発光動作態様であり、発光駆動信号としてのパルスデューティを徐々に変化させることで、ＬＥＤの発光輝度が徐々に明るくなったり暗くなったりする状態を繰り返すような発光動作とする。
また接続機器数提示表示としての発光動作とは、例えばストリームラインの通信を行っていない期間（後述するが本例では省電力モード時）の発光動作として、通信対象となっている機器の数を提示することのできる発光動作である。例えば１つの機器が通信対象となっている場合は４秒に１回の点灯、２つの機器が通信対象となっている場合は４秒に２回の点灯などとする。４秒に１回の点灯とは、ＬＥＤが、１００ｍｓｅｃ点灯と３９００ｍｓｅｃ消灯を繰り返すことになるようにパルス信号を与えればよい。また、４秒に２回の点灯とは、ＬＥＤが、１００ｍｓｅｃ点灯、１００ｍｓｅｃ消灯、１００ｍｓｅｃ点灯、３９００ｍｓｅｃ消灯を繰り返すことになるようにパルス信号を与えればよい。
なお、この接続機器数提示表示を行う期間において、通信対象機器が存在しないときは、発光部１８を点灯させなかったり、或いは通信対象機器が存在しないが電源オン状態を提示するために、より長い期間をおいて点灯（例えば８秒に１回）などとしてもよい。
また、コントローラ１０は通信対象として接続されている機器数のカウントとしては、接続している通信方式のカテゴリー（例えばオーディオカテゴリーや携帯電話カテゴリー）などで区別してカウントしたり、接続している機器のアドレスで区別してカウントするなど、多様な方式が考えられる。
【００２６】
電源部２０は、二次電池或いは一次電池としてのバッテリー２１を電源として動作電源電圧Ｖｄを各部に供給する。
電源部２０の動作電源電圧Ｖｄの供給の有無、つまりＢＴアダプタ１の電源オン／オフはコントローラ１０によって制御される。コントローラ１０は電源ボタン１９の操作に応じて電源オン／オフ制御を行う。
なお、電源部２０には充電回路系も形成されており、バッテリー２１が二次電池の場合、ＡＣアダプタ端子２２にＡＣアダプタが接続されることで、商用交流電源をＡＣアダプタで整流平滑して得たＤＣ電源ラインからの充電電流を利用して、二次電池に対する充電を行うことができるようにされている。
また、電源オフとは、各部に動作電源電圧Ｖｄの供給を停止した状態であるが、この電源オフの期間においては、コントローラ１０が電源ボタン１９の操作を検知して電源起動を行うことができるようにするため、コントローラ１０にはスタンバイ電源電圧Ｖｓｔによる微少電流が供給される。
【００２７】
コマンド出力部１５は、オーディオ再生装置４に対するコマンド信号を発生させ、コネクタ部１３の１つの端子（コマンドライン端子）に供給する。上述のように、接続端子部１１のプラグ部１２とコネクタ部１３は、オーディオ再生装置４に対応するヘッドホン／リモコンの接続端子と同様であり、当然、オーディオ再生装置４のヘッドホン／リモコン端子６３もヘッドホン／リモコンの接続端子部１１に対応している。ヘッドホン／リモコンの場合、例えばユーザーのキー操作に応じた各種コマンド信号、例えばプレイコマンド、停止コマンド、ＦＦ（早送り／頭出し）コマンド、ＲＥＷ（早戻し／頭出し）コマンド等を、それぞれ抵抗分圧による電圧値の差としてオーディオ再生装置４に伝達する。オーディオ再生装置４側でも、ヘッドホン／リモコン端子６３のコマンドライン端子に与えられた電圧値によって、コマンド内容を判別するようにされている。
これに対応するため、コマンド出力部１５は、ヘッドホン／リモコンと同様に、プレイコマンド、停止コマンド、ＦＦコマンド、ＲＥＷコマンド等を、それぞれ抵抗分圧による電圧値の差としてヘッドホン／リモコン端子６３のコマンドライン端子に与える構成とされる。
【００２８】
なお、接続端子部１１をオーディオ再生装置４のヘッドホン／リモコン端子６３に接続した場合、コネクタ部１３の電源ライン端子及びグランドライン端子によりオーディオ再生装置４からの電源電圧ライン（ＶDD）及びグランドライン（ＧＮＤ）が接続された状態となる。
コマンド出力部１５は、この電源電圧ＶDD−グランドＧＮＤ間を、複数の抵抗により分圧する構成とし、コントローラ１０が出力すべきコマンド内容に応じて所定の分圧点を選択することで、コマンド内容に応じた電圧値をコマンドライン端子に供給するようにすればよい。
【００２９】
また本例では、ＢＴアダプタ１の各部は電源部２０からの動作電源電圧Ｖｄによって動作する構成とされ、オーディオ再生装置４からの電源電圧ＶDDを全体の動作電圧としては用いていない。但し本例では、このオーディオ再生装置４からの電源電圧ＶDD−グランドＧＮＤ間の電圧を、コントローラ１０が監視できるようにしている。即ちコントローラ１０は、電源電圧ＶDD−グランドＧＮＤ間の電圧を監視することで、オーディオ再生装置４が電源オフ状態（スリープ状態）にあるか電源オン状態にあるかを判別できる。更にはこのことは、コントローラ１０が、ＢＴアダプタ１が電源オン状態のオーディオ再生装置４に接続されたことの検出や、ＢＴアダプタ１が電源オン状態のオーディオ再生装置４から取り外されたことの検出もできることになる。
【００３０】
なお、このＢＴアダプタ１が本発明請求項でいう通信装置（第１の通信装置）に相当するが、請求項でいう通信装置の各構成要素は例えば次のように対応する。
通信処理部：アンテナ１７，通信部１６、コントローラ１０で実現されるブルートゥース通信処理機能のための構成部位
信号入力部：プラグ部１１、Ａ／Ｄ変換器１４による、オーディオ再生装置４からのオーディオ信号入力系
端子電圧検出部：コネクタ部１３のＶDD−ＧＮＤ間電圧を検出するコントローラ１０
制御部：コントローラ１０
コマンド出力部：コマンド出力部１５
【００３１】
［３．ＢＴレシーバの内部構成］
続いて図５によりＢＴレシーバ２の内部構成例を説明する。
コントローラ３０は、ＣＰＵ、ＲＯＭ、ＲＡＭ、インターフェース部を有するマイクロコンピュータチップにより形成され、ＢＴレシーバ２の制御部として機能する。コントローラ１０は、ブルートゥース通信処理、電源制御、発光制御、及びヘッドホン３に供給するオーディオ信号に関する制御等を行う。
通信部３１は、アンテナ３２を介して他の機器とブルートゥース方式の無線通信を行うためのベースバンド処理、ＲＦ処理を行う。コントローラ３０は、例えばＡＶＤＴＰ及びＡ２ＤＰを用いた通信処理を行い、通信部３１を介して他の機器、例えばＢＴアダプタ１との間でストリームデータや制御データの通信を実現することになる。また、コントローラ３０は、例えばＨＦＰ／ＨＳＰを用いた通信処理を行い、通信部３１を介して他の機器、例えば携帯電話機５との間で通話音声としてのデータや制御データの通信を実現することができる。
【００３２】
ＢＴアダプタ１との間で、Ａ２ＤＰを用いたストリームラインの通信を行っている期間は、ＢＴアダプタ１からオーディオ再生装置４で再生されたオーディオストリーム信号が送信されてくることになる。この場合コントローラ３０は、受信したオーディオストリーム信号に対してデコード処理を行い、デコードされたデジタルオーディオ信号をＤ／Ａ変換器３３に供給する。Ｄ／Ａ変換器３３ではデジタルオーディオ信号をアナログオーディオ信号（Ｌ／Ｒステレオ）に変換する。このアナログオーディオ信号は音量調整部３４で音量調整された後、アンプ部３５で増幅され、ジャック部３６に接続されているヘッドホン３に供給されて音声出力されることになる。
また、このようにストリームラインの通信を実行している場合も、或いはストリームラインが閉じられている場合も、コントローラ３０は制御ライン（ＡＶＤＴＰ）による制御データの通信を、ＢＴアダプタ１等の他の機器との間で実行できる。
【００３３】
ＢＴレシーバ２にはマイクロホン３８が内蔵され、マイクロホン３８で集音された音声信号は、マイクアンプ３９で増幅され、Ａ／Ｄ変換器４４でデジタルオーディオ信号とされてコントローラ３０に供給される。
コントローラ３０は例えば携帯電話機５等の機器とＨＦＰ／ＨＳＰを用いた通信処理を行う場合、マイクロホン３８により得られて入力されたデジタルオーディオ信号をエンコード処理を行い、通信部３１及びアンテナ３２を介して、例えば通話時の送話音声データとして携帯電話機５等に送信することができる。またコントローラ３０は、携帯電話機５等から送信されてアンテナ３２及び通信部３１で受信した受話音声データについてはデコード処理を行い、Ｄ／Ａ変換器３３、音量調整部３４、アンプ部３５を介してヘッドホン３に出力させる。
【００３４】
発光部３７は、ＬＥＤによる発光動作を行う。コントローラ３０は、ＬＥＤに対する発光駆動信号してパルス信号を与える。コントローラ３０は、該パルス信号の周波数やパルスデューティを変化させることで、発光部３７において様々な態様の発光動作を実行させることができる。
本例のＢＴレシーバ２では発光動作態様として、上記ＢＴアダプタ１と同様に、例えばストリーミング表示用の発光動作や、接続機器数提示表示としての発光動作が行われるようにする。さらに携帯電話機５を介した通話を行っている期間には、通話表示として、通話状態を提示する発光動作を行う。
ＢＴアダプタ１の場合と同様、ストリーミング表示用の発光動作とは、ストリームライン（Ａ２ＤＰ）によるオーディオストリーム信号の送信を行っている期間の発光動作態様であり、発光駆動信号としてのパルスデューティを徐々に変化させることで、ＬＥＤの発光輝度が徐々に明るくなったり暗くなったりする状態を繰り返すような発光動作とする。
また接続機器数提示表示としての発光動作とは、例えばストリームラインの通信を行っていない期間（後述するが本例では省電力モード時）の発光動作として、通信対象となっている機器の数を提示することのできる発光動作である。例えばＢＴアダプタ１のみ、或いは携帯電話機５のみとして１つの機器が通信対象となっている場合は４秒に１回の点灯させる。また例えばＢＴアダプタ１と携帯電話機５の２つの機器が通信対象となっている場合は４秒に２回の点灯などとする。
この場合もコントローラ３０は、ＢＴアダプタ１のコントローラ１０と同様に、４秒に１回の点灯を実行させる場合、ＬＥＤが１００ｍｓｅｃ点灯と３９００ｍｓｅｃ消灯を繰り返すことになるようにパルス信号を与えればよい。また、４秒に２回の点灯を実行させる場合、ＬＥＤが１００ｍｓｅｃ点灯、１００ｍｓｅｃ消灯、１００ｍｓｅｃ点灯、３９００ｍｓｅｃ消灯を繰り返すことになるようにパルス信号を与えればよい。
また、この接続機器数提示表示を行う期間において、通信対象機器が存在しないときは、発光部３７を点灯させなかったり、或いは通信対象機器が存在しないが電源オン状態を提示するために、より長い期間をおいて点灯（例えば８秒に１回）などとしてもよい。
また、コントローラ３０は通信対象として接続されている機器数のカウントとしては、接続している通信方式のカテゴリー（例えばオーディオカテゴリーや携帯電話カテゴリー）などで区別してカウントしたり、接続している機器のアドレスで区別してカウントするなど、多様な方式が考えられる。
通話表示は、例えば１秒点灯、１秒消灯の繰り返しなどとして、上記ストリーミング表示や接続機器数提示表示とは異なる表示態様とする。
【００３５】
操作部４０は、図３に示した各種操作子としてプレイキー４０ａ、停止キー４０ｂ、４方向押圧キー４０ｃ、ボリュームキー４０ｄ、電源キー４０ｅ、ホールドキー４０ｆ等を備える。
コントローラ３０は、操作部４０の各種操作子を用いたユーザー操作に応じた処理を行う。
プレイキー４０ａの操作を検知した場合、コントローラ３０は、ＢＴアダプタ１に対してプレイコマンドを送信する。
停止キー４０ｂの操作を検知した場合、コントローラ３０は、ＢＴアダプタ１に対して停止コマンドを送信する。
また４方向押圧キー４０ｃによっては、ＦＦ操作、ＲＥＷ操作、ボリュームアップ／ダウン操作が可能とされる。この４方向押圧キー４０ｃによるＦＦ操作、ＲＥＷ操作、或いはボリュームアップ／ダウン操作を検知した場合、コントローラ３０は、ＢＴアダプタ１に対して、その操作に応じたＦＦコマンド、ＲＥＷコマンド、ボリュームアップ／ダウンコマンドを送信する。
なお、これらコマンド信号の送信のためにはＢＴレシーバ２のコントローラ３０と、ＢＴアダプタ１のコントローラ１０の間で、ＡＶＲＣＰ（Audio / Video Remote Control Profile）による通信を実行すればよい。
また、ＢＴアダプタ１のコントローラ１０は、これらプレイコマンド、停止コマンド、ＦＦコマンド、ＲＥＷコマンド、ボリュームアップ／ダウンコマンドを受信した場合、そのコマンドに応じてコマンド出力部１５から所定の電圧値をオーディオ再生装置４に供給すればよい。
このような動作により、ユーザーはＢＴレシーバ２を用いてオーディオ再生装置４の操作を行うことができるようになる。
【００３６】
なお４方向押圧キー４０ｃによるボリュームアップ／ダウン操作、或いは＋／−キー４０ｄによるアップ／ダウン操作に応じては、コントローラ３０は、音量調整部３４の可変抵抗値を可変制御することで、ＢＴレシーバ２内部で音量調整を実行するようにしてもよい。
【００３７】
またプレイキー４０ａ及び停止キー４０ｂは、携帯電話機５の発信及び着信操作としても利用される。例えばプレイキーの長押し操作を検知した場合、コントローラ３０は、それを携帯電話機５の発信操作として、携帯電話機５に対して発信コマンドを送信する。また携帯電話機５に着信した際にプレイキーの長押し操作を検知した場合、コントローラ３０は、ユーザーが携帯電話機５の着信操作を行ったとして、ＢＴレシーバ２を用いた通話処理にうつる。
また停止キー４０ｂのを長押し操作を検知した場合、コントローラ３０は、それを通話終了操作（通話回線切断）と認識して、携帯電話機５の通話終了のための処理を行う。
【００３８】
ホールドキー４０ｆが操作されてコントローラ１０がホールドモードに移行したときは、コントローラ１０は、各種操作子の操作を無効とする。
【００３９】
電源部４１は、二次電池或いは一次電池としてのバッテリー４２を電源として動作電源電圧Ｖｄを各部に供給する。
電源部４１の動作電源電圧Ｖｄの供給の有無、つまりＢＴレシーバ２の電源オン／オフはコントローラ３０によって制御される。コントローラ１０は操作部４０における電源キー４０ｅの操作に応じて電源オン／オフ制御を行う。
なお、電源部４１には充電回路系も形成されており、このＢＴレシーバ２がＢＴアダプタ１のレシーバ装着部２５に装着されたときには、充電端子４３が、ＢＴアダプタ１側の充電回路系に接続されるようにされている。そしてバッテリー２１が二次電池の場合、ＢＴアダプタ１に接続されているＡＣアダプタからの電流を充電端子４３から取り込んで二次電池に対する充電を行うことができるようにされている。
また、電源オフとは、各部に動作電源電圧Ｖｄの供給を停止した状態であるが、この電源オフの期間においては、コントローラ３０が電源キー４０ｅの操作を検知して電源起動を行うことができるようにするため、コントローラ３０にはスタンバイ電源電圧Ｖｓｔによる微少電流が供給される。
【００４０】
［４．オーディオ再生装置の内部構成］
続いて図６でオーディオ再生装置４の内部構成例を説明する。
このオーディオ再生装置４は、メディア再生部１１で所定の記録メディアからオーディオデータ再生を行うものとされる。メディア再生部１１は、例えば光ディスクプレーヤ部、テーププレーヤ部、メモリカード再生部、内蔵メモリ再生部、ＨＤＤなどとして実現可能である。
メディア再生部１１で記録メディアからオーディオデータの読み出しが行われる場合は、オーディオデータは再生信号処理部でデコード処理、エラー訂正処理、Ｄ／Ａ変換処理、アナログ信号処理などが行われ、ヘッドホン出力のためのアナログオーディオ信号としてヘッドホン／リモコン端子６３のジャック部６４に供給される。
ジャック部６４は、Ｌ／Ｒ／コモンの端子を備え、ＢＴアダプタ１の接続端子部１１のプラグ部１２や、同形状のヘッドホン／リモコンの接続端子部のプラグ部に対応する。ＢＴアダプタ１が接続されている場合、上記のように再生信号処理部６２から出力されるアナログオーディオ信号が、ジャック部６４及び図４のプラグ部１２を介して、ＢＴアダプタ１に入力されることになる。
【００４１】
操作部６７は、図１に示したように、ユーザーの操作のために筐体上に設けられる各種キーを示している。また表示部６６は、筐体上に例えば液晶パネル等として形成される表示部であり、例えば動作モード、再生しているトラックナンバ、時間情報などを表示する。
【００４２】
制御部６０は、ＣＰＵ、ＲＯＭ、ＲＡＭ、インターフェース部を有するマイクロコンピュータにより形成され、オーディオ再生装置４の全体を制御する。即ちこの制御部６０は、メディア再生部１１でオーディオデータ再生動作、再生信号処理部６２の処理、表示部６６の表示動作、操作部６７による操作の検知、電源状態制御等を行う。
またヘッドホン／リモコン端子６３には、上述したＢＴアダプタ１のコネクタ部１３やヘッドホン／リモコンのコネクタ部に対応するコネクタジャック部６５が設けられており、制御部６０はコネクタジャック部６５を介して、ＢＴアダプタ１やヘッドホン／リモコンとの間で、上述した電源ライン、グランドライン、コマンドライン、データラインが接続される。ＢＴアダプタ１やヘッドホン／リモコンが接続されている場合、制御部６０はコネクタジャック部６５で接続されるコマンドラインでの電圧値を検知することで、ＢＴアダプタ１やヘッドホン／リモコンから供給されるコマンド信号、例えばプレイコマンドや停止コマンド等を検知することができる。
【００４３】
電源部６８は、二次電池或いは一次電池としてのバッテリー６９を電源として動作電源電圧Ｖｄｄを各部に供給する。
電源部６８の動作電源電圧Ｖｄｄの供給の有無、つまりオーディオ再生装置４の電源オン／オフは制御部６０によって制御される。制御部６０はユーザーが操作部６７を用いて例えばプレイ操作を行った場合に、電源オンとする制御を行う。またコネクタジャック部６５を介して接続されたＢＴアダプタ１等からプレイコマンドが供給された場合も電源オンとする制御を行う。
また制御部６０は、ユーザーが操作部６７を用いて停止操作を行った場合や、コネクタジャック部６５を介して接続されたＢＴアダプタ１等から停止コマンドが供給された場合は、それに応じて再生動作を停止させた後、所定時間何も操作が行われなければ電源オフとし、機器をスリープ状態とする制御を行う。
なおスリープ状態とは、動作電源電圧Ｖｄｄをオフとするが、コントローラ１０に対しては少なくとも操作やコマンドの検知を行うことができるようにするためのスタンバイ電源電圧Ｖｓｔによる微少電流が供給されている状態である。
【００４４】
［５．ＢＴアダプタの処理］
以下では本実施の形態の動作として、ＢＴアダプタ１とＢＴレシーバ２で実行される処理を順次説明し、その後、ＢＴアダプタ１とＢＴレシーバ２の処理により実現される動作例を説明していく。
まずここでは図７により、ＢＴアダプタ１が電源オンとされた後にコントローラ１０が実行する処理を説明する。
【００４５】
ユーザーが電源ボタン１９を操作することに応じて、コントローラ１０は電源起動処理を行い、図７の処理を開始する。まずコントローラ１０はステップＦ１０１として省電力モードとしての動作を開始する。ここでいう省電力モードとは、Ａ２ＤＰによるストリームラインを開かない状態であり、かつＡＶＤＴＰによる制御ラインの通信、及びＡＶＲＣＰによるコマンド通信を間欠的に行う動作を意味する。例えばこのＢＴアダプタ１の場合、スニフモードとして知られている、所定期間毎に制御データのパケット通信を行うモードを採用することができる。
なおＢＴアダプタ１において電力消費が大きくなるのは、Ａ２ＤＰによるストリームライン通信を行っている場合である。Ａ２ＤＰをオープン状態として通信を実行しているか、通信を停止しているかによって電力消費は著しく異なる。このため省電力モードとは、少なくともＡ２ＤＰによる通信を停止している状態とすればよい。
【００４６】
省電モードで動作を開始したら、コントローラ１０はステップＦ１０２で発光部１８に上述した接続機器数提示表示としての表示動作を開始させる。例えばコントローラ１０は、ＢＴレシーバ２のみと通信を行っているのであれば、４秒に１回発光させるように発光部１８のＬＥＤを発光駆動する。
【００４７】
この省電力モードにおいて、コントローラ１０はステップＦ１０３で、ＡＶＲＣＰによる通信でＢＴレシーバ２からコマンド信号が送信されてきたか否かを監視する。
またステップＦ１０６では、コントローラ１０はオーディオ再生装置４に接続されたコネクタ部１３に与えられる端子電圧状態（ＶDD−ＧＮＤ間電圧）をチェックし、オーディオ再生装置４が供給している電圧ＶDDが、或る比較基準電圧ＶRFF以上となっているか否かを監視する。オーディオ再生装置４は、電源オン状態のときに、コネクタジャック部６５から外部機器に所定の電圧ＶDDを与えるものであり、電圧ＶDDが比較基準電圧ＶREF以上であれば、電源オン状態のオーディオ再生装置４が接続されていると判別できる。一方、電圧ＶDDが比較基準電圧ＶREFより低ければ、接続されているオーディオ再生装置４が電源オフ（スリープ状態）であるか、或いはオーディオ再生装置４が接続されていないと判断される。
【００４８】
ステップＦ１０２でＡＶＲＣＰコマンド受信を検知した場合、コントローラ１０はステップＦ１０４で、そのコマンド内容がプレイコマンドであるか否かを判別する。例えば本例の場合、ＢＴレシーバ２からは、プレイコマンド（電源オンコマンドを兼ねる）、停止コマンド、ＦＦコマンド、ＲＥＷコマンド、ボリュームアップ／ダウンコマンドが送信されてくる場合がある。
プレイコマンドでなければ、ステップＦ１０５に進み、端子電圧状態（ＶDD−ＧＮＤ間電圧）を比較基準電圧ＶRFFと比較し、電源オン状態のオーディオ再生装置４が接続されている状態であるか否かを判別する。
そして端子電圧状態として、ＶDD＜ＶREFであり、オーディオ再生装置４がスリープ中、もしくはオーディオ再生装置４が接続されていないのであれば、停止コマンド、ＦＦコマンド、ＲＥＷコマンド、ボリュームアップ／ダウンコマンドは、いずれも無用なコマンドであるため、コマンド送信を行わずにそのままステップＦ１０３に戻る。
一方、ＶDD≧ＶREFであり、オーディオ再生装置４が動作中であれば、ステップＦ１０８に進み、コントローラ１０はコマンド出力部１５を制御して、ＡＶＲＣＰコマンドの内容に応じたコマンド信号を、オーディオ再生装置４に出力させる。例えばＢＴレシーバ２で停止キー４０ｂの操作が行われて、ＡＶＲＣＰコマンドとして停止コマンドが送信されてきた場合、コントローラ１０は、コマンド出力部１５から停止コマンドとしての電圧信号を出力させる。これに応じてオーディオ再生装置４では再生動作の停止が行われる。
【００４９】
ＡＶＲＣＰコマンドがプレイコマンドであった場合、ステップＦ１０４からＦ１０７に進み、コントローラ１０はコマンド出力部１５を制御して、オーディオ再生装置４に対するプレイコマンドを出力させる。
オーディオ再生装置４側では制御部６０がプレイコマンドを検知することに応じて、そのときスリープ状態であれば電源オン処理を行うと共に、メディア再生部６１、再生信号処理部６２によるオーディオデータ再生動作を開始させる。
【００５０】
コントローラ１０はプレイコマンド送信後はステップＦ１０６で端子電圧状態をチェックするが、それまでスリープ中であったとしても、プレイコマンドに応じたオーディオ再生装置４側の動作によりＶDD≧ＶREFとなる。
端子電圧状態によりオーディオ再生装置４での電源オン状態を確認したら、コントローラ１０はステップＦ１０９に進む。
なお、このようにプレイコマンド送信後でなくとも、例えば動作中のオーディオ再生装置４に接続端子部１１を接続した場合や、オーディオ再生装置４が電源オン状態にあるときにＢＴアダプタ１が電源投入された場合などは、ステップＦ１０６でＶDD≧ＶREFが確認されることになり、これらの場合もステップＦ１０９に進むことになる。
【００５１】
ステップＦ１０９では、それまでの省電力モードから通常モードに移行する。そしてステップＦ１１０で、ストリームラインとしてのＡ２ＤＰオープン処理を行うとともに、ＢＴレシーバ２に対して制御ライン通信でＡ２ＤＰオープン通知を行う。
またストリームラインを開くことに応じてステップＦ１１１で、コントローラ１０は発光部１８に上述したストリーミング表示を開始させる。
【００５２】
そしてステップＦ１１２でストリーミング処理を行う。即ち、オーディオ再生装置４側がプレイコマンドに応じて再生を開始すること（或いは既に再生中であること）により、オーディオ再生装置４で再生されたオーディオストリーム信号がＢＴアダプタ１に供給されてくるが、コントローラ１０は、ステップＦ１１２のストリーミング処理としては、オーディオ再生装置４から供給されるオーディオストリーム信号について、ストリームラインによりＢＴレシーバ２に対して送信する処理を行う。
【００５３】
ストリーミング処理中は、コントローラ１０はステップＦ１１３、Ｆ１１４の監視処理を行う。ステップＦ１１３では、端子電圧状態としてＶDD＜ＶREFとなったか否かを監視する。この場合、端子電圧状態がＶDD＜ＶREFとなるのは、オーディオ再生装置４が電源オフとなったか、或いは接続端子部１１が取り外されて接続が解除されてしまった場合である。端子電圧状態がＶDD≧ＶREFであれば、ストリーミング処理中として正常な状態であり、ストリーミング処理を続ける。
またコントローラ１０はステップＦ１１４で、ＢＴレシーバ２からのＡＶＲＣＰコマンドの受信を監視する。もしＡＶＲＣＰコマンドがあれば、コントローラ１０はステップＦ１１５に進み、コマンド出力部１５を制御して、ＡＶＲＣＰコマンドの内容に応じたコマンド信号を、オーディオ再生装置４に出力させる。
例えばＢＴレシーバ２を用いたユーザー操作に応じて、ＦＦコマンド、ＲＥＷコマンド、ボリュームアップ／ダウンコマンド、停止コマンドなどが送信されることになる。
オーディオ再生装置４側では、制御部６０がコマンドに応じてＦＦ動作、ＲＥＷ動作、ボリューム処理、停止処理などを行う。制御部６０は、停止コマンドに応じて停止処理を行った場合は、例えば１０秒などの一定時間経過後、電源オフとしてスリープ状態に入る処理を行う。
【００５４】
ユーザーがオーディオ再生装置４の操作部６７を用いて停止操作を行った場合、オーディオ再生装置４は停止処理を行うとともに、一定時間後スリープ状態となる。
またユーザーがＢＴレシーバ２を用いて停止操作を行った場合は、上記のようにＢＴアダプタ１からオーディオ再生装置４に停止コマンドが送信され、オーディオ再生装置４は停止処理を行うとともに、一定時間後スリープ状態となる。
また、例えば例えば全曲を再生し終わるなどで、再生を完了した後、一定時間何も操作が行われなければ、オーディオ再生装置４はスリープ状態となる。
また、オーディオ再生装置４のバッテリー６９が電池切れとなった場合、オーディオ再生装置４は電源オフとなる。
これらの場合か、或いはＢＴアダプタ１とオーディオ再生装置４の接続が解除された場合、ステップＦ１１３で端子電圧状態がＶDD＜ＶREFとなったと検知され、ステップＦ１１６に進む。
ステップＦ１１６では、コントローラ１０は、Ａ２ＤＰによるストリームラインについてクローズ処理又はサスペンド処理を行うとともに、クローズ／サスペンド通知をＢＴレシーバ２に対して送信する。なおクローズ処理とは、Ａ２ＤＰによるストリームラインを閉じることであり、サスペンド処理とは、Ａ２ＤＰはオープンのままとしておくが、通信は停止する処理である。このクローズ処理とサスペンド処理は、いずれもストリームラインの通信を停止させる処理である。
そしてストリームラインの通信を停止させたら、ステップＦ１０１に戻って省電力モードに戻る。
【００５５】
［６．ＢＴレシーバの処理］
続いて図８によりＢＴレシーバ２のコントローラ３０の処理を説明する。
ユーザーが電源キー４０ｅを操作することに応じて、コントローラ３０は電源起動処理を行い、図８の処理を開始する。まずコントローラ３０はステップＦ２０１として省電力モードとしての動作を開始する。省電力モードとは、少なくともＡ２ＤＰによるストリームラインを開いていない状態である。この省電力モードでは、ＡＶＤＴＰに基づく制御ラインによるＢＴアダプタ１との制御データの通信やＡＶＲＣＰによるコマンド信号の通信、ＨＳＰ／ＨＦＰによる携帯電話機５との間の制御データの通信は行っている。
【００５６】
省電力モードで動作を開始したら、コントローラ３０はステップＦ１０２で発光部３７に上述した接続機器数提示表示としての表示動作を開始させる。例えばコントローラ３０は、ＢＴレシーバ２と携帯電話機５のそれぞれと通信を行っている状態であれば、４秒に２回発光させるように発光部３７のＬＥＤを発光駆動する。
【００５７】
この省電力モードにおいて、コントローラ３０はステップＦ２０３，Ｆ２０４の監視処理を行う。ステップＦ２０３では、制御ライン通信によりＢＴアダプタ１からＡ２ＤＰオープン通知があったか否かを監視する。
ステップＦ２０４ではユーザー操作があったか否かを監視する。この場合の操作とは、プレイキー４０ａによるプレイ操作、停止キー４０ｂによる停止操作、４方向押圧キー４０ｃによるＦＦ操作、ＲＥＷ操作、ボリュームアップ／ダウン操作のいずれかである。これらのうちの或る操作を検知した場合は、コントローラ３０はステップＦ２０５に進み、ＡＶＲＣＰ通信により、操作に応じたコマンド信号をＢＴアダプタ１に送信する処理を行う。
【００５８】
コントローラ３０はステップＦ２０３でＢＴアダプタ１からのＡ２ＤＰオープン通知を受信したら、処理をステップＦ２０６に進め、通常モードに移行する。即ちＢＴアダプタ１との間で制御ライン及びストリームラインとしての通常の通信動作を行うモードである。そしてステップＦ２０７でＡ２ＤＰオープン処理を行う。
またストリームラインを開いて通常モードに移行することに応じてステップＦ２０８で、コントローラ３０は発光部３７に上述したストリーミング表示を開始させる。
ステップＦ２０９では、コントローラ３０はストリーミング処理を行う。上記のようにＢＴアダプタ１側では、上記図７のステップＦ１１２のストリーミング処理で、オーディオ再生装置４で再生されるオーディオストリーム信号をＢＴレシーバ２に送信してくる。ＢＴレシーバ２のコントローラ３０は、ステップＦ２０９のストリーミング処理として、受信処理、オーディオストリーム信号の復調／デコード処理等を行い、ジャック部３６からアナログオーディオ信号をヘッドホン３に供給する処理を行う。
これによってユーザーは、ヘッドホン３からオーディオ再生装置４の再生音楽等を聞くことができる。
【００５９】
ストリーミング処理中は、コントローラ３０はステップＦ２１０、Ｆ２１１の監視処理
を行う。ステップＦ２１０では、制御ライン通信によりＢＴアダプタ１からＡ２ＤＰのクローズ又はサスペンドの通知があったか否かを監視する。
ステップＦ２１１ではユーザー操作があったか否かを監視する。この場合の操作とは、プレイキー４０ａによるプレイ操作、停止キー４０ｂによる停止操作、４方向押圧キー４０ｃによるＦＦ操作、ＲＥＷ操作、ボリュームアップ／ダウン操作のいずれかである。これらのうちの或る操作を検知した場合は、コントローラ３０はステップＦ２１２に進み、ＡＶＲＣＰ通信により、操作に応じたコマンド信号をＢＴアダプタ１に送信する処理を行う。
【００６０】
ＢＴアダプタ１からＡ２ＤＰストリームラインのクローズ又はサスペンドの通知があった場合は、コントローラ３０はステップＦ２１０からＦ２１３に進み、Ａ２ＤＰのクローズ処理又はサスペンド処理を行ってステップＦ２０１に戻る。
【００６１】
［７．動作例］
ＢＴアダプタ１及びＢＴレシーバ２が以上の処理を行うことで実現される動作例を図９〜図１５でそれぞれ説明する。これらは、特にＢＴアダプタ１がオーディオ再生装置４との接続端子部１１のＶDD端子の端子電圧状態に応じた処理が行われる場合の動作例である。
【００６２】
まず図１１は、ストリーミング処理中にオーディオ再生装置４で再生停止となった場合の動作例として、ＢＴアダプタ１では図７のステップＦ１１２の処理を行い、またＢＴレシーバ２では図８のステップＦ２０９の処理を行っているときからの動作を示している。各動作を（Ｓ１）〜（Ｓ５）で示す。また、ＢＴアダプタ１の図７の処理、及びＢＴレシーバ２の図８〜図１０の処理において、各動作に対応する処理のステップ番号を付記する。
（Ｓ１）：オーディオ再生装置４によりオーディオストリーム信号が再生出力され、ＢＴアダプタ１に供給される。
（Ｓ２）：ＢＴアダプタ１は、通常モードの処理として、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１２、Ｆ２０９）。この動作の期間、ＢＴアダプタ１の発光部１８及びＢＴレシーバ２の発光部３７ではストリーミング表示が行われている。
（Ｓ３）：オーディオ再生装置４において再生停止となる。これはユーザーがオーディオ再生装置４の操作部６７を用いて停止操作を行うことで再生停止処理が行われた場合、或いはユーザーがＢＴレシーバ２を用いて停止操作を行い、ＢＴアダプタ１からオーディオ再生装置４に停止コマンドが送信され、これに応じて再生停止処理が行われた場合（Ｆ２１２，Ｆ１１５）、或いは再生を完了して自動的に停止状態となった場合を示している。再生停止後は、一定時間何も操作が行われなければ、オーディオ再生装置４はスリープ状態となる。
（Ｓ４）：再生停止後の一定時間（例えば１０秒程度）でオーディオ再生装置４がスリープ状態となると、ＢＴアダプタ１はオーディオ再生装置４からの電圧ＶDDが低下したこと、つまりオーディオ再生装置４が電源オフ（スリープ）状態となったことを検知する（Ｆ１１３）。
（Ｓ５）：ＢＴアダプタ１は、Ａ２ＤＰのクローズ処理又はサスペンド処理を行い、これをＢＴレシーバ２に通知すると共に、省電力モードに移行する（Ｆ１１６→Ｆ１０１）。ＢＴレシーバ２もクローズ又はサスペンドの通知に応じてクローズ処理又はサスペンド処理を行い、省電力モードに移行する（Ｆ２１３→Ｆ２０１）。以降、ＢＴアダプタ１の発光部１８及びＢＴレシーバ２の発光部３７では接続機器数提示表示が行われる。
【００６３】
次に図１０は、ストリーミング処理中にオーディオ再生装置４が電池切れとなった場合の動作例を示している。各動作を（Ｓ１１）〜（Ｓ１５）で示す。
（Ｓ１１）：オーディオ再生装置４によりオーディオストリーム信号が再生出力され、ＢＴアダプタ１に供給される。
（Ｓ１２）：ＢＴアダプタ１は、通常モードの処理として、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１２、Ｆ２０９）。この動作の期間、ＢＴアダプタ１の発光部１８及びＢＴレシーバ２の発光部３７ではストリーミング表示が行われている。
（Ｓ１３）：オーディオ再生装置４において電池切れにより再生停止／電源オフとなる。
（Ｓ１４）：電源オフとなることで、ＢＴアダプタ１はオーディオ再生装置４からの電圧ＶDDが低下したことを検知する（Ｆ１１３）。
（Ｓ１５）：ＢＴアダプタ１は、Ａ２ＤＰのクローズ処理又はサスペンド処理を行い、これをＢＴレシーバ２に通知すると共に、省電力モードに移行する（Ｆ１１６→Ｆ１０１）。ＢＴレシーバ２もクローズ又はサスペンドの通知に応じてクローズ処理又はサスペンド処理を行い、省電力モードに移行する（Ｆ２１３→Ｆ２０１）。以降、ＢＴアダプタ１の発光部１８及びＢＴレシーバ２の発光部３７では接続機器数提示表示が行われる。
【００６４】
図１１は、ストリーミング処理中にオーディオ再生装置４とＢＴアダプタ１の接続が解除された場合の動作例を示している。各動作を（Ｓ２１）〜（Ｓ２５）で示す。
（Ｓ２１）：オーディオ再生装置４によりオーディオストリーム信号が再生出力され、ＢＴアダプタ１に供給される。
（Ｓ２２）：ＢＴアダプタ１は、通常モードの処理として、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１２、Ｆ２０９）。この動作の期間、ＢＴアダプタ１の発光部１８及びＢＴレシーバ２の発光部３７ではストリーミング表示が行われている。
（Ｓ２３）：オーディオ再生装置４からＢＴアダプタ１の接続端子部１１が引き抜かれて接続が解消される。
（Ｓ２４）：接続解消により、ＢＴアダプタ１は電圧ＶDDの低下を検知する（Ｆ１１３）。
（Ｓ２５）：ＢＴアダプタ１は、Ａ２ＤＰのクローズ処理又はサスペンド処理を行い、これをＢＴレシーバ２に通知すると共に、省電力モードに移行する（Ｆ１１６→Ｆ１０１）。ＢＴレシーバ２もクローズ又はサスペンドの通知に応じてクローズ処理又はサスペンド処理を行い、省電力モードに移行する（Ｆ２１３→Ｆ２０１）。以降、ＢＴアダプタ１の発光部１８及びＢＴレシーバ２の発光部３７では接続機器数提示表示が行われる。
【００６５】
図１２は、オーディオ再生装置４がスリープ状態、ＢＴアダプタ１とＢＴレシーバ２が省電力モードにあるときから、オーディオ再生装置４が起動された場合の動作例である。各動作を（Ｓ３１）〜（Ｓ３５）で示す。
（Ｓ３１）：プレイ操作が行われてオーディオ再生装置４が電源起動し、再生が開始される。この場合のプレイ操作は、ユーザーがオーディオ再生装置４の操作部６７を用いてプレイ操作を行った場合である。
（Ｓ３２）：ＢＴアダプタ１は電圧ＶDDの上昇により、オーディオ再生装置４が電源オン状態となり再生を開始することを検知する（Ｆ１０６）。
（Ｓ３３）：ＢＴアダプタ１は通常モードに移行してＡ２ＤＰオープン処理を行い、またＢＴレシーバ２にＡ２ＤＰオープン通知を行う（Ｆ１０９，Ｆ１１０）。ＢＴレシーバ２は、Ａ２ＤＰオープン通知に応じて通常モードに移行してＡ２ＤＰオープン処理を行う（Ｆ２０３、Ｆ２０６，Ｆ２０７）。
（Ｓ３４）：オーディオ再生装置４によりオーディオストリーム信号が再生出力され、ＢＴアダプタ１に供給される。
（Ｓ３５）：ＢＴアダプタ１は、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１２、Ｆ２０９）。この動作の期間、ＢＴアダプタ１の発光部１８及びＢＴレシーバ２の発光部３７ではストリーミング表示が行われる。
【００６６】
図１３もオーディオ再生装置４がスリープ状態、ＢＴアダプタ１とＢＴレシーバ２が省電力モードにあるときから、オーディオ再生装置４が起動された場合の動作例である。各動作を（Ｓ４１）〜（Ｓ４７）で示す。
（Ｓ４１）：ユーザーがＢＴレシーバ２のプレイキー４０ａを操作する。
（Ｓ４２）：ＢＴレシーバ２はプレイキー４０ａの操作に応じて、ＡＶＲＣＰによりプレイコマンドをＢＴアダプタ１に送信する（Ｆ２０５）。
（Ｓ４３）：ＢＴアダプタ１は、プレイコマンドに応じてコマンド発生部１５からオーディオ再生装置４にプレイコマンドを送信する（Ｆ１０７）。オーディオ再生装置４では、プレイコマンドに応じて電源起動し、再生を開始する。
（Ｓ４４）：ＢＴアダプタ１は、電圧ＶDDの上昇により、オーディオ再生装置４が電源オン状態となり再生を開始することを検知する（Ｆ１０６）。
（Ｓ４５）：ＢＴアダプタ１は通常モードに移行してＡ２ＤＰオープン処理を行い、またＢＴレシーバ２にＡ２ＤＰオープン通知を行う（Ｆ１０９，Ｆ１１０）。ＢＴレシーバ２は、Ａ２ＤＰオープン通知に応じて通常モードに移行してＡ２ＤＰオープン処理を行う（Ｆ２０３、Ｆ２０６，Ｆ２０７）。
（Ｓ４６）：オーディオ再生装置４によりオーディオストリーム信号が再生出力され、ＢＴアダプタ１に供給される。
（Ｓ４７）：ＢＴアダプタ１は、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１２、Ｆ２０９）。この動作の期間、ＢＴアダプタ１の発光部１８及びＢＴレシーバ２の発光部３７ではストリーミング表示が行われる。
【００６７】
図１４は、再生動作中のオーディオ再生装置４にＢＴアダプタ１が接続された場合の動作例である。それまでＢＴアダプタ１とＢＴレシーバ２が省電力モードにあるとする。各動作を（Ｓ５１）〜（Ｓ５５）で示す。
（Ｓ５１）：再生動作中にオーディオ再生装置４のヘッドホン／リモコン端子６３にＢＴアダプタ１の接続端子部１１が接続される。
（Ｓ５２）：ＢＴアダプタ１は電圧ＶDDの上昇検知により、動作中のオーディオ再生装置４が接続状態にあることを検知する（Ｆ１０６）。
（Ｓ５３）：ＢＴアダプタ１は通常モードに移行してＡ２ＤＰオープン処理を行い、またＢＴレシーバ２にＡ２ＤＰオープン通知を行う（Ｆ１０９，Ｆ１１０）。ＢＴレシーバ２は、Ａ２ＤＰオープン通知に応じて通常モードに移行してＡ２ＤＰオープン処理を行う（Ｆ２０３、Ｆ２０６，Ｆ２０７）。
（Ｓ５４）：オーディオ再生装置４で再生されているオーディオストリーム信号がＢＴアダプタ１に供給される。
（Ｓ５５）：ＢＴアダプタ１は、オーディオ再生装置４から供給されるオーディオストリーム信号をＡ２ＤＰによるストリームラインでＢＴレシーバ２に送信する。またＢＴレシーバ２では、通常モードの処理として、ストリームラインで送信されてくるオーディオストリーム信号を受信し、ヘッドホン３から音声出力する処理を行う（Ｆ１１２、Ｆ２０９）。この動作の期間、ＢＴアダプタ１の発光部１８及びＢＴレシーバ２の発光部３７ではストリーミング表示が行われる。
【００６８】
図１５は、オーディオ再生装置４がスリープ中にユーザーがＢＴレシーバ２で停止キー４０ｂの操作を行った場合である。ＢＴアダプタ１とＢＴレシーバ２は省電力モードである。各動作を（Ｓ６１）〜（Ｓ６３）で示す。
（Ｓ６１）：ユーザーがＢＴレシーバ２で停止キー４０ｂの操作を行う。
（Ｓ６２）：ＢＴレシーバ２は停止キー４０ｂの操作に応じてＡＶＲＣＰ通信により停止コマンドを送信する（Ｆ２０５）。
（Ｓ６３）：ＢＴアダプタ１は停止コマンドを受信した際に、電圧ＶDDを確認する。このときオーディオ再生装置４がスリープ状態であると、電圧ＶDDは比較基準電圧ＶRFFより低いことが検出される。この場合、停止コマンドをオーディオ再生装置４に送信しない（Ｆ１０３→Ｆ１０４→Ｆ１０５→Ｆ１０３）。
【００６９】
［８．実施の形態の効果］
以上、実施の形態について説明してきたが、この実施の形態によれば次のような効果が得られる。
ＢＴアダプタ１は、コントローラ１０は、オーディオ再生装置４からコネクタ部１３に与えられる端子電圧ＶDDを監視することで、オーディオ再生装置４の動作状態（電源状態）や接続の有無を検出し、適切な制御処理を行う。例えばストリーミング処理中に、オーディオ再生装置４が電源オフ或いは接続解消となったり、ストリーミング処理を終了させ、またＢＴレシーバ２にも終了を通知する。
オーディオ再生装置４が電源オフ或いは接続解消となったときは、ストリーミング処理は無駄な動作となるため、オーディオ再生装置４の状況に応じてストリーミング処理を終了させることは、ＢＴアダプタ１、ＢＴレシーバ２の消費電力削減に非常に有効である。またユーザーにとってはＢＴアダプタ１、ＢＴレシーバ２の電力消費を気にする必要がなくなる。
また、ＢＴアダプタ１が省電力モードにあるときでも、端子電圧ＶDDによりオーディオ再生装置４の電源オン／再生開始を検知したら、ストリーミング処理を開始し、またＢＴレシーバ２にもストリーミング処理を開始させることも、ユーザーの使用目的に沿った適切なシステム動作状態の実現となる。
【００７０】
またＢＴレシーバ２はオーディオ再生装置４に対するリモートコントローラとしても使用されることになるが、オーディオ再生装置４が電源オン（再生中）でなければ、操作が行われても、プレイコマンド以外はオーディオ再生装置４に与えられない。例えばオーディオ再生装置４がスリープ状態のときは、ＢＴレシーバ２の停止キー４０ｂが操作されても、ＢＴアダプタ１はオーディオ再生装置４に停止コマンドを与えない。これは、スリープ中に無用なコマンドを与えて、一時的にオーディオ再生装置４を起動させてしまうという無駄な動作を解消するものとなる。
【００７１】
またＢＴレシーバ２、ＢＴアダプタ１は、省電力モード時において通信状態にある機器数を発光部１８、３７で表現できるような表示を行う。これによってユーザーは通信接続が維持されていることや接続機器数を認識できる。
またＢＴレシーバ２、ＢＴアダプタ１は、ストリーミング処理時において発光部１８、３７で省電力モード時とは異なる発光態様のストリーミング表示を行う。これによってユーザーはストリーミング動作状態を認識できると共に、電力消費の大きい動作期間であることを認識できる。
また例えばＬＥＤによる発光部１８、３７でこのような表示を行うことで、例えば液晶パネル等での動作状態表示に変えることができ、ＢＴアダプタ１、ＢＴレシーバ２の小型化や製造コストの低減にも有効である。
【００７２】
本発明は上記実施の形態の例に限らず、多様な変形例が考えられる。
本発明請求項でいう第１，第２の通信装置としての実施の形態のＢＴアダプタ１、ＢＴレシーバ２の構成（図２，図３、図４，図５）や処理手順（図７，図８）は一例であり、多様な変形例が想定されることはいうまでもない。
また通信装置（第１の通信装置）としてのＢＴアダプタ１等が接続される、ストリーム信号を出力する信号出力装置としては、携帯用のオーディオ再生装置４に限らず、据置型のオーディオ再生装置でもよいし、テレビジョン放送、ラジオ放送、或いはネットワーク配信等から得られるオーディオ信号、ビデオ信号を出力する機器であってもよい。
第２の通信装置としてのＢＴレシーバ２等が接続される機器はヘッドホン３に限らず、スピーカ装置、映像表示装置などでもよい。
【図面の簡単な説明】
【００７３】
【図１】本発明の実施の形態の通信システムの説明図である。
【図２】実施の形態のＢＴアダプタの外観の説明図である。
【図３】実施の形態のＢＴレシーバの外観の説明図である。
【図４】実施の形態のＢＴアダプタのブロック図である。
【図５】実施の形態のＢＴレシーバのブロック図である。
【図６】実施の形態のオーディオ再生装置のブロック図である。
【図７】実施の形態のＢＴアダプタの処理のフローチャートである。
【図８】実施の形態のＢＴレシーバの処理のフローチャートである。
【図９】実施の形態の再生停止時の動作例の説明図である。
【図１０】実施の形態の電池切れ時の動作例の説明図である。
【図１１】実施の形態の接続解消時の動作例の説明図である。
【図１２】実施の形態のプレイ操作時の動作例の説明図である。
【図１３】実施の形態のＢＴレシーバでのプレイ操作時の動作例の説明図である。
【図１４】実施の形態のＢＴアダプタ接続時の動作例の説明図である。
【図１５】実施の形態のＢＴレシーバでの停止操作時の動作例の説明図である。
【符号の説明】
【００７４】
１  ＢＴアダプタ、２  ＢＴレシーバ、３  ヘッドホン、４  オーディオ再生装置、５  携帯電話機、１０  コントローラ、１１  接続端子部、１２  プラグ部、１３  コネクタ部、１５  コマンド出力部、１６  通信部、１８  発光部、１９  電源ボタン、２０  電源部、３０  コントローラ、３１  通信部、３７  発光部、３８  マイクロホン、４０  操作部、４２  電源部
【図１】
2007306286.tif 000003
【図２】
2007306286.tif 000004
【図３】
2007306286.tif 000005
【図４】
2007306286.tif 000006
【図５】
2007306286.tif 000007
【図６】
2007306286.tif 000008
【図７】
2007306286.tif 000009
【図８】
2007306286.tif 000010
【図９】
2007306286.tif 000011
【図１０】
2007306286.tif 000012
【図１１】
2007306286.tif 000013
【図１２】
2007306286.tif 000014
【図１３】
2007306286.tif 000015
【図１４】
2007306286.tif 000016
【図１５】
2007306286.tif 000017